(57)【要約】  このアイデアは津波をチェックし、陸上での津波による被害を無効にするのに役立つ、耐久性があり効率的な手作業による水中建設に関するものである。従来の既存の方法は津波の最大限の限界に直面した、壁と桟橋を有する陸上都市を防衛しようとするが、この特許は津波からのすべてのエネルギーを吸収し、また、リバウンド津波を作り出すことを回避し、かつ、津波によって影響を受けている現在の都市が事象の場合であっても無リスクになるように、ライフタイムにわたりそれに耐える、より効率的で耐久性のある水中マニュアル式建設に関するものである。我々はその海岸都市の海底における重要な地点を特定する必要があり、重要な地点における水面下の地形に基づいて、カアアパアリボウルのカスタマイズされた配置を設計することができる。地形が変化し、これが建設を容易にするため、特定の幾何学的形状は存在せず、また、この建設の主要なテーマと並んでおり、津波の向きを変え、エネルギーを絶対にし、津波の水中での降下を作り出し、また、津波の跳ね返りには幾何学的形状は存在しないが、津波の跳ね返りにもカオスが存在するので、津波の跳ね返りを再び制限する。これにより、前方津波と後方津波の両方を確認することができる。主なテーマは津波をトレンチに通し、津波を陸地に押しつぶし、津波自体の潜在能力をすべて解放することであり、特許に記載されている構造はより耐久性があり、容易に構築可能なバージョンに関するものであり、この方法は、地形に依存して、より効率的である。【選択図】  図１
2021514436.tif 000002
【特許請求の範囲】
【請求項１】
まっすぐな衝撃を受けて津波のエネルギーを吸収し、ライフタイムの間その場所に留まる、土壌（海底）に向けられた、水中で行われる津波を抑制するための最良の解決策としての、くさび／ステッパ／トレンチ形状の構造体であり、
フロア（海底）にしっかりと詰められたステッパブロックを有するトンネルと壁（海底の上昇勾配臨界点）の方向と大きさが互いにずれていることにより、前進する津波のエネルギーを消滅させるだけでなく、リバウンド津波の方向と向きもばらばらにし、水中の高圧ヘッド下で（前進及びリバウンドの）津波を崩壊させてもみくちゃにする、
容易に構築可能で維持可能にする水中戦略である、（意図的な）規則的な幾何学配置を有さない異なる方向を向いたステッパブロック（トンネルを有するカアアパアリボウル）を有する臨界点トンネル。
【発明の詳細な説明】
【技術分野】
【０００１】
本発明は深海での水中地震によって発射された津波をどのようにそらし（又は、方向転換させ、分散させ、ダイバートさせ）、沿岸都市を被害から守るかというものである。強力な津波を形成する上での複雑さ、仕組みを理解すれば、私はここで提示する考え方に取り組むことができる。津波の力学をわかりやすくするために使われる専門用語で表現した手書きの写真を参照する。
図１のダイアグラムI、II参照。
震源−水中地殻プレート地震接合。
高圧ヘッド−重力により海洋水の上層によって海底および津波に引き起こされる圧力で、深海ではより大きく、深さの減少に伴って海岸に向かって徐々に減少する。
津波の壁−津波の前線部分。
津波の核（又は、コア）−ライブの津波の放物線の核。
リバウンド津波−元の津波が制約構造物に跳ね返ることによって引き起こされる逆津波。
臨界点−テーパ状の勾配地が深海底から上の海岸まで上昇し始める接合点。
HKTB−Horizontal Kaapaali Tunnel and Bowl（水平カアアパアリトンネル及びボウル）
VKTB−Vertical Kaapaali Tunnel and Bowl（垂直カアアパアリトンネル及びボウル）
【発明の開示】
【発明が解決しようとする課題】
【０００２】
津波の形成と攻撃メカニズム−特許の考え方を理解できるようにするために、これを繰り返す必要がある。津波が形成されるときはいつでも、対向するまたは移動する地殻プレート（それは他のものに対して移動し、それを深海水に対して突然噴出する）によって引き起こされる強い水中地震が生じ、それはそれを深海水に対して突然噴出させるが、それは理想的には真っ直ぐに／斜めに海洋の層まで噴出するべき強力な推力を水塊に詰め込むが、地殻噴出表面積は流体で満たされたスポットの上の海洋の表面積に対して比較的無視できるものであり、それはこの真っ直ぐな上方への噴出のための強力な拘束を作り出す重力のために、海底に向かって絶えず引き付けられ、同様に、時には地殻プレートが上方への推力ではなく、エネルギー側を水中に下方に移動させることになる。上記のすべての要因は、いずれの方向にも有効である。エネルギー伝達は固体から流体にあり、流体が高圧ヘッドのために推力を抑制しようとしている方法である。地震が十分に強力であれば、地震によって伝達されたエネルギーは高圧ヘッドからの拘束を見出し、したがって、それは、津波としての表現を見出し、海洋ビード上に着陸し、ソースポイントの両側で転がり始める。それはビーチに向かって転がるように一定の高圧ヘッド下にあり、一方、それはゆっくりとエネルギーを失うが、津波のコアおよび津波の壁を拡大し（又は、それは一定の高圧ヘッド下にあるため、ビーチに向かって転がるに従って、ゆっくりとエネルギーを失うが、津波のコアおよび津波の壁を拡大し）、ここで、遷移において失われ、重力によって拘束されるエネルギーは津波のエネルギーが考慮される限り、非常に無視できる。同様に、津波が海底を転がり、海岸に向かって移動することにつれて、津波の壁およびコアのサイズは、深海から海岸への高圧ヘッドが徐々に減少し続けるにつれて、増加し続ける。津波が海岸に当たると、潜在的（半運動）エネルギーの完全な変換が起こり、海岸都市の高く巨大で壊滅的な津波の運動エネルギーを完全に得る。典型的には、津波および関連する防護の既存のすべての方法が非常に無駄であるこの終点での津波の力に耐えることに関するものである。従って、異なるスポットにおける波を取り扱う特許のアイデアは既存のものとは異なり、比較的非常に容易な合成配置を有する。
【課題を解決するための手段】
【０００３】
したがって、カアアパアリボウル及びトンネルである。
【図面の簡単な説明】
【０００４】
【図１】ダイアグラム１，２
【図２】ダイアグラム３，４
【図３】ダイアグラム５，６
【図４】ダイアグラム７
【発明を実施するための形態】
【０００５】
私の特許のアイデアは、津波を海の深さそのものでそらすこと（又は、海底でそらすこと）を提案している。津波はいつも圧縮された形で海底を走る。ひとたび臨界点を過ぎると、その厳しい力のためにそれを止めることはない。そのため、津波は海洋の深部の高圧ヘッド下で巻かれ、陸地に衝突し、発生点に向かって跳ね返るように方向転換され、水中のプロセスにおいてすべてのエネルギーおよび向きを失うことがある。より具体的な設計により、津波から最大推力を吸収し、リバウンド津波における実質的な方向転換を引き起すことができるであろう。
【０００６】
理想的には地震によって与えられる推力が水によって吸収され、水の流体的性質および高圧ヘッドおよび運動エネルギーによって引き起こされる動力学によって移動し始めるので、津波は海岸に向かって進むにつれて、そのコア（又は、CORE）および壁（又は、WALL）を漸進的に成長させる。
【０００７】
海底は抵抗を提供するが、津波のパワーに対しては無視できる。しかし、フロアベッド（又は、海底／floor bed）にトレンチ（又は、溝）を導入すると、津波の壁は高圧ヘッドのために、より強く床に当たり、完全に弱くなるように、方向転換され、押される。図２ダイアグラム３を参照。
【０００８】
ステッパブロック（カアアパアリボウル）を用いてアイデアをわずかに改善すると、それに当たる津波の向きが変わり、リバウンドはさまざまな壁高さの津波によって、わずかに向きが変わり、弱くなる（図２ダイアグラム４参照）。ここでは、津波の前方への移動を排除するとともに、リバウンドでのそのすべての力を排除する。
【０００９】
このように配置された構造物は、次第に海洋の水の移動で、または津波の方向転換が数回成功した後に損傷を受ける可能性がある。
【００１０】
したがって、改善された方法であるトンネル内ボウル（カアアパアリボウル及びトンネル）は、深海底の臨界点およびその周辺に正確に配置される。トンネルは通常の鉄筋コンクリートであり、水中輸送導管に使用され、ボウルと呼ばれるステッパブロック（ステップブロック）に同じ材料を使用することができる。図３のダイアグラム５，６及び図４のダイアグラム７を参照のこと。
【００１１】
ボウルからトンネルへの導管および海底および壁への導管は岩石中の自然トンネルのように補強されるように、海洋土壌で強く詰め込まれる（又は、パッケージされる）べきであり、周辺の土壌パッケージは津波の衝撃を吸収した後に位置または向きに変化がないように、剛性かつ堅固であるべきである。
【００１２】
図４のダイアグラム７はカアアパアリボウル及びトンネルの単純な手書き図面であり、トンネルは、水中輸送システムで使用される通常の導管である。
【００１３】
本発明の基本理念は、臨界点における水中地形に応じて容易に改善することができることは理解できるのであろう。
【図１】
2021514436.tif 000003
【図２】
2021514436.tif 000004
【図３】
2021514436.tif 000005
【図４】
2021514436.tif 000006
【国際調査報告】
2021514436.tif 000007
2021514436.tif 000008